(57)【要約】【課題】  電源線及び通信線の敷線又は無線設備の設置が不要であり、システム構築が非常に安価に行える、遭難防止システムを得る。【解決手段】  登山ルートに沿い当該登山ルートのルート情報や固有ＩＤ情報を蓄積したＲＦＩＤタグを一定間隔且つ分岐点等のチェックポイントに設置し、登山者が所持するリーダーと前記ＲＦＩＤタグ間において無線通信を行うことにより登山ルートのルートチェックを逐次行いながら登山を行うシステムとする。また、上記リーダーには当該山岳の地形表示とＲＦＩＤタグの設置場所表示と現在地を示すマーカー表示及び位置情報表示が行える機能を有する。また、上記リーダーにはＲＦＩＤタグと無線通信を行った際にチェック音を鳴らしたり分岐点等のチェックポイントにおけるルート情報を音声発生する機能を有する。【選択図】        図１
2006303696.tif 000002
【特許請求の範囲】
【請求項１】
登山ルートに沿い当該登山ルートのルート情報や固有ＩＤ情報を蓄積したＲＦＩＤタグを一定間隔且つ分岐点等のチェックポイントに設置し、登山者が所持するリーダーと前記ＲＦＩＤタグ間において無線通信を行うことにより登山ルートのルートチェックを逐次行いながら登山を行うことを特徴とする、遭難防止システム。
【請求項２】
請求項１のリーダーが、当該山岳の地形表示とＲＦＩＤタグの設置場所表示と現在地を示すマーカー表示及び位置情報表示が行える機能を有するものであることを特徴とする、遭難防止システム。
【請求項３】
請求項１のリーダーが、ＲＦＩＤタグと無線通信を行った際にチェック音を鳴らしたり分岐点等のチェックポイントにおけるルート情報を音声発生する機能を有するものであることを特徴とする、遭難防止システム。
【請求項４】
本来の登山ルートに一定間隔でＲＦＩＤタグが設置された状態において、該ＲＦＩＤタグの左側にルート左外れ警告用のＲＦＩＤタグを設置し、ＲＦＩＤタグの右側にルート右外れ警告用のＲＦＩＤタグを設置したことを特徴とする、請求項１から３の何れかに記載の遭難防止システム。
【発明の詳細な説明】
【技術分野】
【０００１】
本発明は、登山者が登山ルートを外すことにより遭難するのを防止するための遭難防止システムに関し、特に登山者が所持するリーダーと登山ルートに設置したＲＦＩＤ（Radio Frequency Identification）タグ間における無線通信によりルートチェックを行いながら登山を行なうことにより遭難防止を図ることができる、遭難防止システムに関するものである。
【背景技術】
【０００２】
従来、山岳登山を行なう場合において、登山者は登山管理を行う管理センターに対し、住所，氏名，電話番号，血液型及び緊急連絡先等の個人情報と、入山日及び下山予定日等を申請した上で登山を行い、下山した際には前記管理センターに対し、下山した旨の報告を行なっている。
【０００３】
下山予定日を過ぎても下山確認が取れない場合には、緊急連絡先にその旨が連絡されると共に、捜索隊により捜索が行なわれる。該捜索は山岳全体を広範囲に行なうため、多くの人手と機材が必要となり多額の費用が掛かってしまうという問題点があった。また、該捜索は時間も掛かるため、登山者が怪我や病気を負っていた場合には生命への危険性が生じてしまうという恐れもあった。
【０００４】
上記問題点を解決すべく、特開２０００−０３２５６２号公報においては、ＧＰＳ衛星から送信されるＧＰＳ信号の受信機能と当該ＧＰＳ信号を解析して得られた位置情報を携帯電話基地局経由にて管理センターに通報することができる緊急用ハンディ端末を登山者に携行させ、緊急時において山岳頂上にある携帯電話基地局に緊急通報するシステムが記載されている。
【０００５】
また、特開２００２−１３３０３９号公報においては、登山ルートのチェックポイントに情報読取書込機を設置し、非接触式ＩＣタグを内蔵したリストバンドを装着した登山者の通過ポイントや時間情報を読取ることにより当該登山者の登山経路を管理センターにて管理するシステムが記載されている。
【特許文献１】特開２０００−０３２５６２
【特許文献２】特開２００２−１３３０３９
【発明の開示】
【発明が解決しようとする課題】
【０００６】
しかしながら、上記特開２０００−０３２５６２号公報におけるシステムは、ＧＰＳ衛星から送信されるＧＰＳ信号を受信して位置解析を行うが、このためには少なくとも４個以上のＧＰＳ衛星から送信されるＧＰＳ信号が必要であり、山岳の地形状況によっては必要個数のＧＰＳ信号が受信できないという問題点があった。また、山岳頂上に携帯電話基地局を設置したり、位置補正のためのＦＭ多重放送局を設置する必要があり、システム構築に多額の費用が掛かってしまうといった問題点があった。
【０００７】
また、上記特開２００２−１３３０３９号公報におけるシステムは、登山ルートのチェックポイントに情報読取書込機いわゆるリーダー／ライターを多数設置し、該情報読取書込機と登山者に装着したリストバンド内の非接触式ＩＣタグ間における情報通信の内容を管理センターで管理を行うため有線又は無線により管理センターに送信する必要があるが、このためには電源線及び通信線の敷線又は無線設備の設置が必要であり、システム構築に多額の費用が掛かってしまうといった問題点があった。
【０００８】
本発明は、以上述べたような問題点を解決するために成されたものであり、電源線及び通信線の敷線又は無線設備の設置が不要であり、システム構築が非常に安価に行える、遭難防止システムを提供することを目的とする。
【課題を解決するための手段】
【０００９】
上記課題を解決するため、本発明の遭難防止システムにおいては、登山ルートに沿い当該登山ルートのルート情報や固有ＩＤ情報を蓄積したＲＦＩＤタグを一定間隔且つ分岐点等のチェックポイントに設置し、登山者が所持するリーダーと前記ＲＦＩＤタグ間において無線通信を行うことにより登山ルートのルートチェックを逐次行いながら登山を行うシステムとする。
【００１０】
また、上記リーダーには当該山岳の地形表示とＲＦＩＤタグの設置場所表示と現在地を示すマーカー表示及び位置情報表示が行える機能を有する。
【００１１】
また、上記リーダーにはＲＦＩＤタグと無線通信を行った際にチェック音を鳴らしたり分岐点等のチェックポイントにおけるルート情報を音声発生する機能を有する。
【発明の効果】
【００１２】
本発明の遭難防止システムによれば、山岳に設置する装置として、登山ルートに沿い当該登山ルートのルート情報や固有ＩＤ情報を蓄積したＲＦＩＤタグを一定間隔且つ分岐点等のチェックポイントに設置するだけであり、電源線及び通信線の敷線又は無線設備の設置が不要となり、システム構築が非常に安価に行えるという絶大なる効果を奏する。また、登山者が所持するリーダーと前記ＲＦＩＤタグ間において無線通信を行うことにより現在地を常に正確に把握できるという効果も奏する。
【発明を実施するための最良の形態】
【００１３】
本発明を実施するための最良の形態を図を用いて説明する。
【００１４】
図１は本発明の遭難防止システムのシステム構成図であり、山岳１にある全ての登山ルート２において当該登山ルート２に沿いＲＦＩＤタグ３を一定間隔且つ分岐点等のチェックポイントに設置する。該ＲＦＩＤタグ３に内蔵のメモリは不揮発性メモリとし、分岐点等のチェックポイントにおけるルート情報や固有ＩＤ情報を蓄積しておく。
【００１５】
また、登山者４は上記ＲＦＩＤタグ３と無線通信を行うことによりルート情報や固有ＩＤ情報を得ることができるリーダー５を所持して登山を行う。該ルート情報には当該登山ルート２や分岐点等のチェックポイントにおける情報が記憶され、リーダー５で読取ることにより当該情報を表示したり、音声メッセージを発生することができる。また、固有ＩＤ情報には当該ＲＦＩＤタグ３に割当てられた固有番号が記憶され、リーダー５で読取ることにより通過位置のチェックが行える。このようにして、登山者４は登山ルート２のルートチェックを逐次行いながら登山を行う。
【００１６】
図２は本発明の遭難防止システムにおけるリーダーの一実施例の外形図である。該リーダー５は、ハンディ端末のケース表面に当該山岳１の地形表示とＲＦＩＤタグ３の設置場所表示と現在地を示すマーカー表示７及び位置情報表示を行うための表示器６と、ＲＦＩＤタグ３と無線通信を行った際にチェック音を鳴らしたり分岐点等のチェックポイントにおけるルート情報の音声発生を行うためのスピーカー８と、各種機能設定のための操作スイッチ９等を配設して構成する。なお、リーダー５の外形やケース表面の要素配置は図示するものに限定せず、任意の形状や要素配置であっても構わない。
【００１７】
また、リーダー５として、携帯電話やＰＤＡ等に上記機能を予め内蔵したり、上記機能が行えるユニットを前記携帯電話やＰＤＡ等のインターフェースコネクタに接続できるようにしても構わない。
【００１８】
図３は本発明の遭難防止システムにおけるＲＦＩＤタグの一実施例の外形図である。該ＲＦＩＤタグ３は、細長い平板状ケース内に、上記リーダー５と無線通信を行うためのアンテナ２３及びＲＦＩＤチップ２４と、リーダー５による応答を表示出力するためのＬＥＤ３４と、後述する充電用コンデンサがＲＦＩＤチップ２４に内蔵できない場合における外付けの充電用コンデンサ３０等を配線収納して構成する。また、該ＲＦＩＤタグ３の両端部に穴３５を設け、登山ルート２に沿った樹木や標識又はＲＦＩＤタグ専用に設置したポールにネジ等にて固定する。なお、ＲＦＩＤタグ３の外形や固定手段は図示するものに限定せず、任意の形状や固定手段であっても構わない。また、ＬＥＤ３４は無くても構わない。
【００１９】
図５は本発明の遭難防止システムにおけるリーダーのブロック図である。該リーダー５における通信ブロックは、登山ルート２に設置したＲＦＩＤタグ３のアンテナ２３と電磁界又は電磁波により通信を行うためのアンテナ１０と、検出信号送信時において送信回路１２から出力される送信信号をアンテナ１０に接続し受信時においてアンテナ１０で受信した応答信号を受信回路１３に接続して入力するための切換器１１と、前記送信回路１２にキャリアを重畳した変調信号を出力したり受信回路１３で受信した応答信号を検波して復調信号を得るための変復調回路１４により構成する。
【００２０】
次に、上記変復調回路１４及び切換器１１をＣＰＵ１５に接続して通信制御を行う。また、該ＣＰＵ１５に入力インターフェース回路１８と、表示制御回路１４と、音声制御回路２０を接続する。該入力インターフェース回路１８には複数の操作スイッチ９を接続して各種機能設定を行い、表示制御回路１４には表示器６を接続して当該山岳１の地形表示とＲＦＩＤタグ３の設置場所表示と現在地を示すマーカー表示７及び位置情報表示を行い、音声制御回路２０にはスピーカー８を接続してＲＦＩＤタグ３と無線通信を行った際にチェック音を鳴らしたり分岐点等のチェックポイントにおけるルート情報の音声発生を行う。なお、スピーカー８に代え若しくはスピーカー８と併用してイヤホーン（図示せず）を接続可能にしても構わない。更に、ＣＰＵ１５に当該リーダー５の制御を行うための制御プログラムを格納するためのメモリ１６と、当該山岳１の地形表示データやＲＦＩＤタグ３のルート情報に対応した音声メッセージデータ及び固有ＩＤ情報に対応した位置情報データ等を格納するための増設メモリ１７を接続する。該増設メモリ１７はカード型とし、登山を行う山岳１に対応したデータを蓄積した増設メモリ１７を外部より容易に着脱できる構造にすると好適である。
【００２１】
次に、上記リーダー５を駆動するためのバッテリー２１を電源回路２２に接続し、安定化した回路電源を各回路に供給する。
【００２２】
図６は本発明の遭難防止システムに用いるＲＦＩＤタグのブロック図である。アンテナ２３は、リーダー５のアンテナ１０と電磁界又は電磁波により通信を行うため同調キャパシタ（図示せず）から成る同調回路２５に接続して共振回路を構成する。該アンテナ２３は一般的にはループアンテナであり、該ループアンテナの導線には相互インダクタンスが大きく取れる高効率なアンテナ素材を使用するのが好適である。キャリア周波数は、通信距離が長い２．４５ＧＨｚや９５２〜９５４ＭＨｚ等のＵＨＦ帯が好適である。
【００２３】
上記同調回路２５の後段には、リーダー５から出力された電磁界又は電磁波がアンテナ２３を通過した時に発生する誘導起電力の電圧波形を検波したり、該誘導起電力を半波又は全波整流して直流電圧を取り出すための整流回路２６を接続する。該整流回路２６で使用するダイオード（図示せず）は順方向電圧降下の低いもの、例えばショットキバリアダイオードが好適である。
【００２４】
次に、上記整流回路２６の後段には、検波したキャリアを分周してシステムクロックを生成するためのクロック生成回路２７と、信号受信時においてキャリアから信号を取り出す復調動作を行ったり信号送信時においてスイッチング素子（図示せず）により変調動作を行うための変復調回路２８と、上記直流電圧を安定化して回路電源を供給したり、充電用コンデンサ３０に充電電圧を供給するための電源回路２９を接続する。該充電用コンデンサ３０は、後述のＬＥＤ点灯回路３３に接続されるＬＥＤ３４に電源を供給するため、大容量コンデンサ例えば電気二重層コンデンサが好適であるが、特に限定するものではない。
【００２５】
次に、上記変復調回路２８の後段には、該変復調回路２８の制御や強誘電体メモリであるＦＲＡＭ（Ferroelectric R A M：米国Ramtron社の登録商標）３２に当該ＲＦＩＤタグ３の固有ＩＤ情報やルート情報の書込み又は読出し制御を行うためのロジック回路３１を接続する。また、該ロジック回路３１の後段には、リーダー５と無線通信を行った応答出力としてＬＥＤ３４を点灯するためのＬＥＤ点灯回路３３を接続する。
【００２６】
上記ＦＲＡＭ２５は不揮発性メモリであり、回路電源がＯＦＦになっても当該ＲＦＩＤタグ３の固有ＩＤ情報やルート情報は消失することはない。また、データの書込み電圧は、ＥＥＰＲＯＭやフラッシュメモリのように高圧に昇圧する必要がないため、昇圧回路が簡略化される。また、書込み又は読出し速度はＤＲＡＭと同等であり、ＥＥＰＲＯＭやフラッシュメモリよりはるかに高速であるという特徴を持つものである。このように不揮発性メモリとしてはＦＲＡＭ２５が好適であるが、特に限定するものではない。
【実施例】
【００２７】
本発明の実施例を図を用いて説明する。
【００２８】
まず、図１に示すように山岳１にある全ての登山ルート２において当該登山ルート２に沿いＲＦＩＤタグ３を一定間隔且つ分岐点等のチェックポイントに設置しておく。該ＲＦＩＤタグ３に内蔵のメモリには、予め分岐点等のチェックポイントにおけるルート情報や固有ＩＤ情報が蓄積されている。
【００２９】
登山者４は、管理センター（図示せず）において個人情報や入山及び下山予定日を申請すると共に、自己所有又は管理センターより貸与されたリーダー５を所持して登山を開始する。なお、該リーダー５には、予め当該山岳１の地形表示データやＲＦＩＤタグ３のルート情報に対応した音声メッセージデータ及び固有ＩＤ情報に対応した位置情報データ等を格納した増設メモリ１７を装着しておく。
【００３０】
登山者４が登山ルート２を外すことなく登山を行っている場合には、該登山ルート２に沿って一定間隔例えば１０ｍ間隔程度に設置されたＲＦＩＤタグ３や分岐点等のチェックポイントに設置されたＲＦＩＤタグ３と当該登山者４が所持するリーダー５が無線通信を行う。この時、リーダー５に表示器６が装備されている場合には、山岳１の地形表示とＲＦＩＤタグ３の設置場所表示と現在地を示すマーカー表示７及び位置情報表示が行われる。また、リーダー５にスピーカー８が装備され若しくはイヤホーンが接続可能である場合には、ＲＦＩＤタグ３と無線通信が行われたことを知らせるためのチェック音を鳴らしたり分岐点等のチェックポイントにおいてルート情報を音声メッセージにより発生させる。これらにより、登山者４は登山ルート２のルートチェックを逐次行いながら登山を行うことができることになる。
【００３１】
また、図４は本発明の遭難防止システムにおける登山ルート外れを警告するためのＲＦＩＤタグの配置例であり、本来の登山ルート２に一定間隔でＲＦＩＤタグ３ａ‥３ｆが設置された状態において、ＲＦＩＤタグ３ａ‥３ｆの左側にルート左外れ警告用のＲＦＩＤタグ３ａＬ‥３ｆＬを設置し、ＲＦＩＤタグ３ａ‥３ｆの右側にルート右外れ警告用のＲＦＩＤタグ３ａＲ‥３ｆＲを設置した状態を示している。
【００３２】
上記状態において、例えばＲＦＩＤタグ３ｃの地点を通過後、次の通過ポイントがＲＦＩＤタグ３ｄＬの地点であった場合には登山ルート２を左側に外していることが判断できるため、現在地より右側にルート変更することにより本来の登山ルート２に戻ることができ、同様にしてＲＦＩＤタグ３ｃの地点を通過後、次の通過ポイントがＲＦＩＤタグ３ｄＲの地点であった場合には登山ルート２を右側に外していることが判断できるため、現在地より左側にルート変更することにより本来の登山ルート２に戻ることができ、ルート修正が容易に行えることになる。
【００３３】
また、上記登山ルート２のみにＲＦＩＤタグ３を設置した場合や、登山ルート２及び当該登山ルート２の左右にＲＦＩＤタグ３Ｌ，３Ｒを設置した場合において、万一登山ルートを外した場合でも、最後に通過した通過ポイントの情報を携帯電話等により管理センターに通報することにより捜索地点が絞られるため、捜索が容易且つ短時間に行われることになる。
【産業上の利用可能性】
【００３４】
上記説明における遭難防止システムは、登山における遭難防止について説明したが、登山以外にハイキングやオリエンテーリング等に利用することも可能である。
【図面の簡単な説明】
【００３５】
【図１】本発明の遭難防止システムのシステム構成図である。
【図２】本発明の遭難防止システムにおけるリーダーの一実施例の外形図である。
【図３】本発明の遭難防止システムにおけるＲＦＩＤタグの一実施例の外形図である。
【図４】本発明の遭難防止システムにおける登山ルート外れを警告するためのＲＦＩＤタグの配置例である。
【図５】本発明の遭難防止システムにおけるリーダーのブロック図である。
【図６】本発明の遭難防止システムにおけるＲＦＩＤタグのブロック図である。
【符号の説明】
【００３６】
１  山岳
２  登山ルート
３  ＲＦＩＤタグ
４  登山者
５  リーダー
６  表示器
７  マーカー
８  スピーカー
９  操作スイッチ
１０  アンテナ
１１  切換器
１２  送信回路
１３  受信回路
１４  変復調回路
１５  ＣＰＵ
１６  メモリ
１７  増設メモリ
１８  入力インターフェース回路
１９  表示制御回路
２０  音声制御回路
２１  バッテリー
２２  電源回路
２３  アンテナ
２４  ＲＦＩＤチップ
２５  同調回路
２６  整流回路
２７  クロック生成回路
２８  変復調回路
２９  電源回路
３０  充電用コンデンサ
３１  ロジック回路
３２  ＦＲＡＭ
３３  ＬＥＤ点灯回路
３４  ＬＥＤ
３５  穴
【図１】
2006303696.tif 000003
【図２】
2006303696.tif 000004
【図３】
2006303696.tif 000005
【図４】
2006303696.tif 000006
【図５】
2006303696.tif 000007
【図６】
2006303696.tif 000008